(57)【要約】本発明は、紙管（２）に巻かれている包装用ラップ（３）が収納される包装用ラップケース（１）において、矩形の第１の底板（１０）、該第１の底板（１０）の両側長辺部からそれぞれ延びた第１の前面板（１１）および第１の後面板（１３）、上記第１の底板（１０）の短辺部から延びた第１の側面板（１５）、該第１の側面板（１５）の外側端から延びた第１の補強板（１６）、上記第１の前面板（１１）および第１の後面板（１３）の短辺部から延びる連結板（１２、１４）、上記第１の前面板（１１）の長辺部から第１の前面板（１１）と重なるように延びた第２の前面板１７、上記第２の前面板１７の長辺部から第１の底板（１０）と重なるように延びた第２の底板（１８）、上記第２の底板（１８）の長辺部から第１の後面板（１３）と重なるように延びた第２の後面板（１９）、上記第２の底板（１８）の短辺部から第１の側面板（１５）と重なるように延びた第２の側面板（２０）、上記第２の側面板（２０）の外側端から延びた第２の補強板（２２）、上記第１の後面板（１３）の長辺部から延びた上面カバー板（２４）、および上記上面カバー板（２４）の長辺部から延びた前面カバー板（２６）、を含んで構成され、上記第２の側面板（２０）または第２の補強板（２２）に、上記ラップ３が巻かれている紙管（２）の端部が挿入される軸孔（２１）が形成されていることを特徴とする包装用ラップケースを提供する。【選択図】図１
2015511565.tif 000002
【特許請求の範囲】
【請求項１】
紙管（２）に巻かれている包装用ラップ（３）が収納される包装用ラップケース（１）において、
矩形の第１の底板（１０）、
前記第１の底板（１０）の両側長辺部からそれぞれ延びた第１の前面板（１１）および第１の後面板（１３）、
前記第１の底板（１０）の両側短辺部からそれぞれ延びた一対の第１の側面板（１５）、
前記第１の側面板（１５）の外側端から第１の側面板（１５）と対応する形態で延びた第１の補強板１６、
前記第１の前面板（１１）および第１の後面板（１３）の両側短辺部から延び、前記第１の側面板（１５）と第１の補強板（１６）との間で折り畳まれる連結板（１２、１４）、
前記第１の前面板（１１）の長辺部から第１の前面板（１１）と重なるように延びた第２の前面板１７、
前記第２の前面板１７の長辺部から第１の底板（１０）と重なるように延びた第２の底板（１８）、
前記第２の底板（１８）の長辺部から第１の後面板（１３）と重なるように延びた第２の後面板（１９）、
前記第２の底板（１８）の両側短辺部から第１の側面板（１５）と重なるように延びた一対の第２の側面板（２０）、
前記第２の側面板（２０）の外側端から延びた第２の補強板（２２）、
前記第１の後面板（１３）の長辺部から延び、第１の底板（１０）と対応する形態からなる上面カバー板（２４）、および
前記上面カバー板（２４）の長辺部から延び、第１の前面板（１１）をカバーする前面カバー板（２６）、を含んで構成され、
前記第２の側面板（２０）または第２の補強板（２２）に、前記ラップ３が巻かれている紙管（２）の端部が挿入される軸孔（２１）が形成されていることを特徴とする包装用ラップケース。
【請求項２】
紙管（２）に巻かれている包装用ラップ（３）が収納されるラップケース（１）において、
矩形の底板（３０）、
前記底板（３０）の両側長辺部からそれぞれ延びた前面板（３１）および後面板（３３）、
前記底板（３０）の両側短辺部からそれぞれ延びた一対の側面板（３５）、
前記側面板（３５）の外側端から側面板（３５）と対応する形態で延び、前記紙管（２）の端部が挿入される軸孔（３７）が形成されている補強板（３６）、
前記前面板（３１）および後面板（３３）の両側短辺部から延び、前記側面板（３５）と補強板３６との間で折り畳まれる連結板（３２、３４）、
前記後面板（３３）の長辺部から延び、底板（３０）と対応する形態からなる上面カバー板（２４）、および
前記上面カバー板（２４）の長辺部から延び、前面板（３１）をカバーする前面カバー板（２６）、を含んで構成されたことを特徴とする包装用ラップケース。
【請求項３】
前記前面カバー板（２６）の長辺部から延長して形成され、ラップ（３）をカットするカッター（４０）が前面カバー板（２６）の長辺部に沿ってスライド可能に装着されるガイド部（２９）が更に備えられていることを特徴とする請求項１または請求項２に記載の包装用ラップケース。
【発明の詳細な説明】
【技術分野】
【０００１】
本発明は、包装用ラップケースに関し、より詳しくは、ラップを固定する部品を別途に備えず、一体として形成してラップを固定することにより、物の包装時にラップが遊動することを防止し、包装作業が便利になり、軽いものでありながら堅くて、内蔵されているラップを効果的に保護し、リサイクルも容易で、金属の鋸刃が備えられていないため、安全性が向上された包装用ラップケースに関する。
【背景技術】
【０００２】
一般に、飲食物を入れた容器などは、飲食物が空気に接触されることによって酸化することを防止するために、包装用ラップ（wrap）によって密閉される。このような包装用ラップは、合成樹脂材フィルムの形態からなる包装材として、各種の飲食物が収容された容器を密閉し、飲食物の新鮮度を維持する。
【０００３】
また、従来の包装用ラップは、円筒の巻取ロールに巻き取られている状態で、一定の形状の包装用ラップケースに内蔵される。このような従来の包装用ラップケースは、紙を略直六面体の形状に折曲して製作するが、一側面が開放されるように蓋が一体として形成される。更に、上記開放された面の一側面には、ラップをカットするための金属の鋸刃が取り付けられている。
【０００４】
しかしながら、従来のラップケースは、ケースの内部に巻取ロールが単に挿入されている状態であり、ケースに固定されている状態ではないため、使用者が巻き取られているラップを解く際、巻取ロールがケースの内部で遊動し、ラップをカットすることが容易ではないという問題があった。
【０００５】
この際、巻取ロールが遊動しながらケースから離脱する可能性もあるため、使用者はラップケースを強く握っていなければならない。しかしながら、従来のラップケースは、紙で製作され、使用者がラップケースを強く握っていると、ラップケースが簡単につぶれて、内蔵されているラップも損傷される可能性がある。一方、使用者がラップケースを把持している状態で、容器などを包装する際、使用者の不注意などによってラップケースの金属の鋸刃に手を怪我する可能性があるという問題があった。
【０００６】
一方、このような先行技術として、大韓民国公開特許公報第１０−２０１０−０１００４６０号には、包装用ラップ切断機が開示されている。
【先行技術文献】
【特許文献】
【０００７】
【特許文献１】大韓民国公開特許公報第１０−２０１０−０１００４６０号
【発明の概要】
【発明が解決しようとする課題】
【０００８】
本発明は、前述したような問題点を解決するためのもので、本発明の目的は、ラップを固定する部品を別途に備えず、一体として形成してラップを固定することにより、物の包装時にラップが遊動することを防止し、包装作業が便利になり、軽いものでありながら堅くて、内蔵されているラップを効果的に保護し、異質材料を使用しないため、リサイクルも容易であり、金属の鋸刃が接着剤で取り付けられていないため、安全性が向上され、リサイクルがより容易な包装用ラップケースを提供することにある。
【課題を解決するための手段】
【０００９】
本発明の特徴によると、紙管２に巻かれている包装用ラップ３が収納される包装用ラップケース１において、
矩形の第１の底板１０、上記第１の底板１０の両側長辺部からそれぞれ延びた第１の前面板１１および第１の後面板１３、上記第１の底板１０の両側短辺部からそれぞれ延びた一対の第１の側面板１５、上記第１の側面板１５の外側端から第１の側面板１５と対応する形態で延びた第１の補強板１６、上記第１の前面板１１および第１の後面板１３の両側短辺部から延び、上記第１の側面板１５と第１の補強板１６との間で折り畳まれる連結板１２、１４、上記第１の前面板１１の長辺部から第１の前面板１１と重なるように延びた第２の前面板１７、上記第２の前面板１７の長辺部から第１の底板１０と重なるように延びた第２の底板１８、上記第２の底板１８の長辺部から第１の後面板１３と重なるように延びた第２の後面板１９、上記第２の底板１８の両側短辺部から第１の側面板１５と重なるように延びた一対の第２の側面板２０、上記第２の側面板２０の外側端から延びた第２の補強板２２、上記第１の後面板１３の長辺部から延び、第１の底板１０と対応する形態からなる上面カバー板２４、および上記上面カバー板２４の長辺部から延び、第１の前面板１１をカバーする前面カバー板２６、を含んで構成され、上記第２の側面板２０または第２の補強板２２に、上記ラップ３が巻かれている紙管２の端部が挿入される軸孔２１が形成されていることを特徴とする包装用ラップケースが提供される。
【００１０】
本発明の他の特徴によると、紙管２に巻かれている包装用ラップ３が収納されるラップケース１において、
矩形の底板３０、上記底板３０の両側長辺部からそれぞれ延びた前面板３１および後面板３３、上記底板３０の両側短辺部からそれぞれ延びた一対の側面板３５、上記側面板３５の外側端から側面板３５と対応する形態で延び、上記紙管２の端部が挿入される軸孔３７が形成されている補強板３６、上記前面板３１および後面板３３の両側短辺部から延び、上記側面板３５と補強板３６との間で折り畳まれる連結板３２、３４、上記後面板３３の長辺部から延び、底板３０と対応する形態からなる上面カバー板２４、および該上面カバー板２４の長辺部から延び、前面板３１をカバーする前面カバー板２６、を含んで構成されたことを特徴とする包装用ラップケースが提供される。
【００１１】
本発明の更に他の特徴によると、上記前面カバー板２６の長辺部から延長形成され、ラップ３をカットするカッター４０が前面カバー板２６の長辺部に沿ってスライド可能に装着されるガイド部２９が更に備えられていることを特徴とする包装用ラップケースが提供される。
【発明の効果】
【００１２】
以上のように、本発明によると、包装用ラップ３が巻かれている紙管２が挿入される軸孔２１が一体として形成されているラップケース１を提供することにより、紙管２の固定のための別の構成品が要求されず、製作が簡便で、製作コストが低減され、異質材料が追加されないため、リサイクルも容易である。また、紙管２が軸孔２１に挿入されて位置固定されるため、ラップ３を引き出す際、ラップ３がラップケース１の内部で遊動されず、使用者がラップ３を強く握る必要がないため、ラップケース１がつぶれたりして損傷することが防止される。更に、ラップ３を引き出す際、紙管２が軸孔２１で回転するため、ラップ３の引き出しが更にスムーズにできるという効果がある。
【００１３】
一方、ラップケース１をなす底面と前後面が二重からなる二重構造であるため、従来に比べ、より堅く、外部衝撃があっても、収納されているラップ３の損傷がより一層効果的に防止され、特に、ラップ３を引き出す際、使用者が把持しても、簡単につぶれることがない。一方、従来のラップ３のカットのための金属の鋸刃をケースに接着剤で取り付けることなく、ラップケース１にスライド可能に装着されているカッター４０を備え、傷害を予防することができることはもちろん、カッター４０がラップケース１から簡単に分離され、リサイクルが非常に容易である。
【図面の簡単な説明】
【００１４】
【図１】本発明に係る包装用ラップケースの第１の実施例を示した斜視図。
【図２】上記実施例の展開図。
【図３】上記実施例の折り畳まれている側断面を示した図。
【図４】上記実施例のラップが固定されている状態を示した側断面図。
【図５】本発明に係る包装用ラップケースの第２の実施例を示した展開図。
【図６】図５の展開図を折り畳む状態を示した一部分解斜視図。
【発明を実施するための形態】
【００１５】
上述した本発明の目的、特徴および長所は、次の詳しい説明により、更に明らかになる。以下、本発明の好ましい実施例を添付した図面に基づき説明すると、次のようである。
【００１６】
図１は、本発明に係る包装用ラップケースの第１の実施例を示した斜視図で、図２は、図１の展開図で、図３は、図１の折り畳まれている側断面を示した部分切断図で、図４は、図１のラップが装着されている状態を示した側断面図である。
【００１７】
図示したように、本発明の第１の実施例に係る包装用ラップケース１は、紙管２に巻かれている包装用ラップ３が収納されるもので、図２と同じ形態の展開図を所定の方式で折り畳み、図１のようなラップケースを製作する。
【００１８】
本実施例に係る包装用ラップケース１は、図２のように、第１の底板１０、第１の前面板１１、第１の後面板１３、第１の側面板１５、第１の補強板１６、連結板１２、１４、第２の前面板１７、第２の底板１８、第２の後面板１９、第２の側面板２０、第２の補強板２２、上面カバー板２４、上面カバー翼部２５、前面カバー板２６、前面カバー翼部２７、仕上げ翼部２８およびガイド部２９を含んで構成される。
【００１９】
上記第１の底板１０は、ラップ３が巻かれている紙管２の長さ方向の断面のサイズよりも大きい矩形からなる。上記第１の前面板１１および第１の後面板１３は、互いに対応する形状からなり、第１の底板１０の両側長辺部からそれぞれ延長形成され、第１の底板１０とそれぞれ直角になるように折り畳まれる。
【００２０】
上記第１の側面板１５は、第１の底板１０の両側短辺部から延長形成され、第１の補強板１６は、第１の側面板１５の外側端から延長形成される。連結板１２、１４は、第１の前面板１１および第１の後面板１３の両側短辺部から延長形成され、第１の前面板１１および第１の後面板１３と直角になるように折り畳まれる。この際、第１の前面板１１と第１の後面板１３の対向するそれぞれの連結板１２、１４は、互いに重なるように折り畳まれる。また、第１の底板１０の両端部が第１の前面板１１および第１の後面板１３の両端部よりも更に突出し、上記重なったそれぞれの連結板１２、１４は、第１の底板１０に位置する。また、上記第１の側面板１５が、重なった連結板１２、１４の外側を覆い、第１の補強板１６が、重なった連結板１２、１４の内側を覆うように折り畳まれる。
【００２１】
上記第２の前面板１７は、上記折り畳まれている第１の前面板１１の上端である長辺部から延長形成され、第２の底板１８は、第２の前面板１７の長辺部から延長形成され、第２の後面板１９は、第２の底板１８の長辺部から延長形成される。
【００２２】
上記第２の側面板２０は、第２の底板１８の両側短辺部から延長形成され、第２の補強板２２は、第２の側面板２０の外側端から延長形成される。この際、図示した実施例において、第２の側面板２０には、ラップ３が巻かれている紙管２の端部が挿入固定される軸孔２１を形成するが、場合によっては、第２の補強板２２に軸孔２１を形成することもできる。
【００２３】
また、上記第２の前面板１７、第２の底板１８および第２の後面板１９は、第１の前面板１１、第１の底板１０および第１の後面板１３とそれぞれ重なるように折り畳まれ、第２の前面板１７および第２の後面板１９は、第１の前面板１１および第１の後面板１３とともに第２の底板１８と直角をなすように折り畳まれる。
【００２４】
上記第２の側面板２０が第２の底板１８と直角になるように折り畳まれ、第２の補強板２２が第２の側面板２０と重なるように折り畳まれる。この際、第２の補強板２２が第１の補強板１６と面接触され、これに伴い、図１のように、上記軸孔２１が形成されている第２の側面板２０が完成されるラップケース１の内側に位置する。
【００２５】
一方、第２の後面板１９の長辺部には、補助折畳部２３が延長形成され、補助折畳部２３が第１の後面板１３と面接触するように折り畳まれて仕上げられる。
【００２６】
上記上面カバー板２４は、折り畳まれている第１の後面板１３の上端である長辺部から延長形成され、第１の前面板１１、第１の底板１０および第１の後面板１３からなり、開放された上面をカバーする。この際、上面カバー板２４の両側短辺部には、上面カバー翼部２５が延長形成される。
【００２７】
上記前面カバー板２６は、上面カバー板２４の長辺部から延長形成され、第１の前面板１１の外側と重なる。この際、前面カバー板２６の両側短辺部には、前面カバー翼部２７が延長形成され、この前面カバー翼部２７の外側端には、仕上げ翼部２８が延長形成される。仕上げ翼部２８の外側端には、仕上げ突起２８ａが突出形成される。前面カバー板２６と前面カバー翼部２７が折り畳まれる部位には、上記仕上げ翼部２８の仕上げ突起２８ａが挿入されるスリット２６ａが形成される。
【００２８】
また、上面カバー翼部２５が前面カバー翼部２７と仕上げ翼部２８との間に挿入され、前面カバー板２６が上面カバー板２４と直角の状態を維持するようになる。また、仕上げ翼部２８の内側が第１の側面板１５の外側を覆うようになる。
【００２９】
上記ガイド部２９は、前面カバー板２６の長辺部から延長形成され、前面カバー板２６の内側に折り畳まれる。この際、ガイド部２９には、カッター４０が装着されるが、カッター４０は、ガイド部２９に沿ってスライドされるように装着されるカッターホルダー４１と、このカッターホルダー４１に備えられているカッター刃４２からなる。カッター刃４２は、前面カバー板２６と直角になるように備えられる。一方、図１において、第１の前面板１１の外側下端には、カッター刃４２がラップ３を効果的にカットするように、支持板５０が長さ方向に沿って延長され、この支持板５０には、カットされたラップ３の端部が密着し、位置固定される。
【００３０】
このように構成した本発明の第１の実施例に係る包装用ラップケース１は、図１のように、ラップケース１の両側の内周面には、上記第２の側面板２０の軸孔２１が位置されるため、図４のように、ラップ３が巻かれている紙管２の両端部が各軸孔２１に挿入され、ラップケース１の内部で位置固定される。これにより、使用者がラップ３を引き出す際、紙管２が軸孔２１の内部で回転するのみで、ラップケース１の内部で遊動することなく、ラップ３が紙管２からよりスムーズに解ける。
【００３１】
また、ラップケース１の第１の前面板１１、第１の底板１０および第１の後面板１３に、第２の前面板１７、第２の底板１８および第２の後面板１９がそれぞれ重なるように構成し、二重構造のケースを提供することにより、使用者がラップ３を引き出す際に、ラップケース１を把持しても、従来の単一構造のケースに比べ、簡単につぶれることがなくなる。
【００３２】
図４は、本発明に係る包装用ラップケースの第２の実施例の一部が折り畳まれている状態を示した部分斜視図で、図５は、図４の展開図である。図示したように、本実施例に係る包装用ラップケース１は、底板３０、前面板３１、後面板３３、側面板３５、補強板３６、連結板３２、３４、上面カバー板２４、上面カバー翼部２５、前面カバー板２６、前面カバー翼部２７、仕上げ翼部２８およびガイド部２９が一体として形成される。
【００３３】
図示した本実施例において、底板３０、前面板３１および後面板３３は、二重構造ではなく、矩形の底板３０の両側長辺部から前面板３１および後面板３３が延長形成され、前面板３１および後面板３３は、底板３０と直角になるように折り畳まれる。
【００３４】
上記側面板３５は、底板３０の両側短辺部から延長形成され、補強板３６は、側面板３５の外側端から延長形成される。この際、補強板３６にラップ３が巻かれている紙管２が挿入される軸孔３７が形成される。
【００３５】
また、上記連結板３２、３４は、前面板３１および後面板３３の両側短辺部から延長形成され、底板３０の上で互いに重なり、補強板３６が、重なった連結板３２、３４の内側を覆い、側面板３５が、重なった連結板３２、３４の外側を覆うように折曲される。これにより、補強板３６の軸孔３７が完成されるラップケース１の内側に備えられる。
【００３６】
一方、上面カバー板２４と前面カバー板２６は、第１の実施例と同様、前面カバー翼部２７、仕上げ翼部２８および上面カバー翼部２５によって直角が維持され、仕上げ翼部２８が側面板３５の外側を覆うようになる。また、前面カバー板２６の長辺部から延長形成されたガイド部２９に、カッター４０がスライド可能に装着されていること、および前面板３１に備えられている支持板５０の構成は、第１の実施例と同じである。
【００３７】
以上で説明した本発明は、前述した実施例および添付した図面によって限定されるものではなく、本発明の技術的思想から逸脱しない範囲内で、様々な置換、変形および変更が可能であることは、本発明の属する技術分野における通常の知識を有する者にとっては明らかである。
【図１】
2015511565.tif 000003
【図２】
2015511565.tif 000004
【図３】
2015511565.tif 000005
【図４】
2015511565.tif 000006
【図５】
2015511565.tif 000007
【図６】
2015511565.tif 000008
【国際調査報告】
2015511565.tif 000009
2015511565.tif 000010
2015511565.tif 000011
2015511565.tif 000012